(57)【要約】【課題】レストランなどに備えられている呼鈴に風鈴を付加することで、心地よい音で呼び出しをすることができるとともに、風鈴の風情を楽しむことができる風鈴付呼鈴を提供する。【解決手段】風鈴付呼鈴１００は、台座１０と台座１０と一体的に形成されたフレーム２０とこのフレーム２０に吊り下げられた風鈴３０を有している。風鈴付呼鈴１００は、レストランなどのテーブルＴに配置されており、風鈴３０の振り子が指で押されることにより、この振り子が移動して、本体部を打ち、風鈴としての音を発する。周囲の客は、風鈴の音が気にならず、むしろ店内に風情をもたらす。【選択図】図１
0003216354.tif 000002
【実用新案登録請求の範囲】
【請求項１】
台座と、前記台座と一体的に形成されたフレームと、前記フレームの上部に設けられた吊り下げ支持部と、前記吊り下げ支持部に吊り下げられた風鈴を有する風鈴付呼鈴であって、
前記風鈴は、本体部と、前記本体部に設けられた吊り下げ部材と、前記吊り下げ部材の中間部に設けられた振り子と、前記吊り下げ部の下端部に設けられた受け部を有していることを特徴とする風鈴付呼鈴。
【請求項２】
前記台座は、テーブルに配置される置き型タイプであり、前記台座が前記テーブルに配置された状態で、前記受け部が押されることで、前記振り子が前記本体部を打ち、音を発するように形成されていることを特徴とする請求項１に記載の風鈴付呼鈴。
【請求項３】
前記受け部は、竹で形成された短冊またはビー玉であり、
前記台座から前記フレームの上部までは、１０ｃｍから２５ｃｍであることを特徴とする請求項１または請求項２に記載の風鈴付呼鈴。
【請求項４】
前記フレームは、中空の楕円状に形成され、Ｌ字状に形成され、または籠状に形成されており、
前記籠状に形成されたフレームは、前記振り子が押されるように、隙間を有していることを特徴とする請求項１から請求項３のいずれかに記載の風鈴付呼鈴。
【請求項５】
前記台座は、滑り止め用のラバーが、底部に貼り付けられていることを特徴とする請求項１から請求項４のいずれかに記載の風鈴付呼鈴。
【考案の詳細な説明】
【技術分野】
【０００１】
本考案は、風鈴付呼鈴に関する。
【背景技術】
【０００２】
従来から、卓上に置いて音で呼び出すための呼鈴は知られており、保護カバーを設け、音がこもることなく、大きい音量で長く響かせるものが開示されている。
【先行技術文献】
【特許文献】
【０００３】
【特許文献１】特開２００８−９１２３号公報
【考案の概要】
【考案が解決しようとする課題】
【０００４】
飲食店(カフェ、レストラン、ホテルラウンジなど)において、オーダーの際に手を挙げても従業員に気づかれないことが多い。男性の声は周波数が低いこともあり女性の声よりも特に認知されにくい。レストランやホテルラウンジなどで、声を張りにくい場所では気づかれるまで手を挙げ続けるのは煩わしい、という問題があった。
【０００５】
また、従来の呼鈴は、音が大きく、静かなレストランなどでは、雰囲気を壊してしまうという問題もあった。本考案は、こうした点に鑑みてなされたものであり、レストランなどに備えられている呼鈴に風鈴を付加することで、心地よい音で呼び出しをすることができるとともに、風鈴の風情を楽しむことができる風鈴付呼鈴を提供することである。
【課題を解決するための手段】
【０００６】
上記課題を解決するために、本考案に係る風鈴付呼鈴は、台座と、前記台座と一体的に形成されたフレームと、前記フレームの上部に設けられた吊り下げ支持部と、前記吊り下げ支持部に吊り下げられた風鈴を有する風鈴付呼鈴であって、前記風鈴は、本体部と、前記本体部に設けられた吊り下げ部材と、前記吊り下げ部材の中間部に設けられた振り子と、前記吊り下げ部の下端部に設けられた受け部を有していることを特徴とする。
【０００７】
本考案に係る風鈴付呼鈴の態様について、前記台座は、テーブルに配置される置き型タイプであり、前記台座が前記テーブルに配置された状態で、前記受け部が押されることで、前記振り子が前記本体部を打ち、音を発するように形成されていることが好ましい。
【０００８】
本考案に係る風鈴付呼鈴の態様について、前記受け部は、竹で形成された短冊またはビー玉であり、前記台座から前記フレームの上部までは、１０ｃｍから２５ｃｍであることが好ましい。
【０００９】
本考案に係る風鈴付呼鈴の態様について、前記フレームは、中空の楕円状に形成され、Ｌ字状に形成され、または籠状に形成されており、前記籠状に形成されたフレームは、前記振り子が押されるように、隙間を有していることが好ましい。
【００１０】
本考案に係る風鈴付呼鈴の態様について、前記台座は、滑り止め用のラバーが、底部に貼り付けられていることが好ましい。
【考案の効果】
【００１１】
本考案によれば、レストランなどに備えられている呼鈴に風鈴を付加することで、心地よい音で呼び出しをすることができるとともに、風鈴の風情を楽しむことができる風鈴付呼鈴を提供することができる。
【図面の簡単な説明】
【００１２】
【図１】実施形態の風鈴付呼鈴の一例を示す模式図である。
【図２】実施形態の風鈴付呼鈴の一例を示す参考図である。
【図３】実施形態の風鈴付呼鈴の他の一例を示す参考図である。
【図４】実施形態の風鈴付呼鈴の他の一例を示す参考図である。
【図５】風鈴付呼鈴が卓上に置かれている一例を示す参考図である。
【考案を実施するための形態】
【００１３】
以下、本考案の風鈴付呼鈴の実施形態を、図１から図５を用いて説明する。図１は、風鈴付呼鈴１００の一例を説明する模式図であり、図２は、フレーム２０が楕円状の風鈴付呼鈴１００を示す参考図であり、図３は、フレーム２０がＬ字状の風鈴付呼鈴１００を示す参考図であり、図４は、フレーム２０が籠状の風鈴付呼鈴１００を示す参考図であり、及び図５は、風鈴付呼鈴１００がテーブルＴに配置されている状態を示す参考図である。
【００１４】
本考案の風鈴付呼鈴１００は、台座１０、台座１０と一体的に形成されたフレーム２０、フレーム２０の上部に設けられた吊り下げ支持部２０ａ、吊り下げ支持部２０ａに吊り下げられた風鈴３０を有している。
【００１５】
風鈴３０は、本体部３０ａ、本体部３０ａに設けられた吊り下げ部材３０ｂ、吊り下げ部材３０ｂの中間部に設けられた振り子３０ｃ、吊り下げ部材３０ｂの下端部に設けられた受け部３０ｄを有している。なお、吊り下げ支持部２０ａ及び吊り下げ部材３０ｂは、紐、鎖など適宜最適なものを用いるとよい。
【００１６】
台座１０は、テーブルＴに配置される置き型タイプであり、図５に示すように、風鈴付呼鈴１００は、テーブルＴに配置、つまり置かれた状態で使用できる。このように台座１０がテーブルに配置された状態で、受け部３０ｄが押されることで、振り子３０ｃが本体部３０ａを打ち、風鈴としての音を発するように形成されている。
【００１７】
すなわち、レストランなどで、テーブルＴに置かれている風鈴付呼鈴１００の受け部３０ｄを、指で押すことにより、振り子３０ｃが移動して、本体部３０ａを打つことで、この本体部３０ａからの風鈴としての音が、呼鈴としての機能を有することになる。
【００１８】
受け部３０ｄは、竹で形成された短冊またはビー玉で形成されていることが望ましく、このようにすることで受け部３０ｄが、重いものとなり風などで誤って音を発することがないものとなる。なお、図２から図４の各（ａ）に示す受け部３０ｄは、竹の短冊で形成されている例を示しており、また、各（ｂ）に示す受け部３０ｄは、ビー玉で形成されている例を示している。
【００１９】
また、台座１０からフレーム２０の上部までは、１０ｃｍから２５ｃｍであることが望ましい。このような大きさにすることで、テーブルＴなどに配置される風鈴付呼鈴１００が、バランスよく、美的な効果を有するものとなる。
【００２０】
フレーム２０は、図２に示すように中空の楕円状に形成されており、図３に示すようにＬ字状に形成されており、または図４に示すように籠状に形成されていてもよく、これらの例に限定されることなく、適宜配置場所に応じた最適なものとすればよい。図４に示す籠状に形成されたフレーム２０は、振り子３０ｃが、指で押されるように、指が入るような隙間を有していることが望ましい。
【００２１】
また、台座１０は、滑り止め用のラバーが、底部に貼り付けられていることが望ましく、このようにすることで、テーブルＴに配置された風鈴付呼鈴１００が、安易に移動したり転倒したりすることを避けることができる。
【００２２】
上記のような特徴を有する本考案の風鈴付呼鈴１００は、主にカフェ、レストラン、ホテルラウンジなどの飲食店で、従業員を呼ぶ際の合図としてテーブルＴに置き、指で風鈴付呼鈴１００を鳴らし、場合によっては手を挙げ従業員に認知してもらうことができる。このように風鈴を呼鈴に付加した風鈴付呼鈴１００は、日本古来の伝統工芸品を外国人観光客により知ってもらうきっかけにもなるという優れたものでる。また、風鈴付呼鈴１００は、従業員にとって認知しやすいものであり、周囲の客はほとんど風鈴の音が気にならず、むしろ店内に風情をもたらすという顕著な効果を有するものである。
【００２３】
以上、本考案の有する特徴及び優れた点を上記実施形態に記載したが、本考案は、本願の実用新案登録請求の範囲で使用されている言葉を広く一般的な意味に拡張して実施することができる。
【００２４】
また、本考案の風鈴付呼鈴は、大きさや形状、素材の種類、厚さ、重さなどについては多様な実施形態が可能であり、それらについて本実施形態と異なる形態による実施は、本考案の技術的範囲に含まれる。
【符号の説明】
【００２５】
１００      風鈴付呼鈴
１０        台座
２０        フレーム
２０ａ      吊り下げ支持部
３０        風鈴
３０ａ      本体部
３０ｂ      吊り下げ部
３０ｃ      振り子
３０ｄ      受け部
【図１】
0003216354.tif 000003
【図２】
0003216354.tif 000004
【図３】
0003216354.tif 000005
【図４】
0003216354.tif 000006
【図５】
0003216354.tif 000007
【手続補正書】
【提出日】平成30年3月22日(2018.3.22)
【手続補正１】
【補正対象書類名】実用新案登録請求の範囲
【補正対象項目名】全文
【補正方法】変更
【補正の内容】
【実用新案登録請求の範囲】
【請求項１】
台座と、前記台座と一体的に形成されたフレームと、前記フレームの上部に設けられた吊り下げ支持部と、前記吊り下げ支持部に吊り下げられた風鈴を有する風鈴付呼鈴であって、
前記風鈴は、本体部と、前記本体部に設けられた吊り下げ部と、前記吊り下げ部の中間部に設けられた振り子と、前記吊り下げ部の下端部に設けられた受け部を有していることを特徴とする風鈴付呼鈴。
【請求項２】
前記台座は、テーブルに配置される置き型タイプであり、前記台座が前記テーブルに配置された状態で、前記受け部が押されることで、前記振り子が前記本体部を打ち、音を発するように形成されていることを特徴とする請求項１に記載の風鈴付呼鈴。
【請求項３】
前記受け部は、竹で形成された短冊またはビー玉であり、
前記台座から前記フレームの上部までは、１０ｃｍから２５ｃｍであることを特徴とする請求項１または請求項２に記載の風鈴付呼鈴。
【請求項４】
前記フレームは、中空の楕円状に形成され、Ｌ字状に形成され、または籠状に形成されており、
前記籠状に形成されたフレームは、前記振り子が押されるように、隙間を有していることを特徴とする請求項１から請求項３のいずれかに記載の風鈴付呼鈴。
【請求項５】
前記台座は、滑り止め用のラバーが、底部に貼り付けられていることを特徴とする請求項１から請求項４のいずれかに記載の風鈴付呼鈴。